(57)【要約】【課題】道路に規制区域が存在する等の事象の情報を、車両の運転者に効果的に通知できる予告看板を提供する。【解決手段】  予告看板１は可搬型であり、道路交通に関する情報を視覚的に認識可能に表示する表示パネル２と、表示パネル２の上部に設置され、道路交通に関する文字情報をＶＩＣＳ又はＥＴＣの規格に従った電波で送信する情報送信装置３を備える。予告看板１が道路の側部に設置されると、道路を走行する車両の運転者により、表示パネル２に表示された情報が視認される。また、情報送信装置３から送信された文字情報が車両の情報受信装置に受信され、文字情報が読み上げられることにより、運転者に伝達される。運転者が不注意により表示パネル２の情報を見落としても、道路交通に関する情報を音声により効果的に認識させることができるので、走行方向に存在する事象に関して効果的に注意喚起を行うことができる。【選択図】図１
2019160020.tif 000002
【特許請求の範囲】
【請求項１】
道路の周辺に配置され、道路交通に関する情報を、上記道路を走行する車両の運転者に伝達するための可搬型の予告看板であって、
道路交通に関する情報を視覚的に認識可能に表示する表示パネルと、
道路交通情報を発信するための無線通信媒体を用いて、上記道路交通に関する情報を含む送信情報を送信する情報送信装置と
を備えることを特徴とする予告看板。
【請求項２】
請求項１に記載の予告看板において、
上記送信情報が音声情報であることを特徴とする予告看板。
【請求項３】
請求項１に記載の予告看板において、
上記情報送信装置が、蓄電池を備えることを特徴とする予告看板。
【請求項４】
請求項３に記載の予告看板において、
上記蓄電池に電力を供給する太陽光発電装置を備えることを特徴とする予告看板。
【請求項５】
請求項１に記載の予告看板において、
上記送信情報が、上記道路交通に関する情報で示される事象が存在する位置までの距離の情報を含むことを特徴とする予告看板。
【請求項６】
請求項１に記載の予告看板において、
上記送信情報が、上記道路交通に関する情報で示される事象が存在する位置又は方面を示す地名の情報を含むことを特徴とする予告看板。
【請求項７】
請求項１に記載の予告看板において、
上記情報送信装置が、
上記道路交通に関する情報で示される事象に関する事象情報と、上記事象が存在する距離に関する距離情報と、上記事象が存在する位置又は方面を示す地名に関する地名情報とが夫々複数個選択可能に記憶された記憶部と、
上記記憶部に記憶された情報のうち、送信情報に含めるべき情報が選択されて入力される入力部と、
上記入力部で選択された事象情報、距離情報及び地名情報に基づいて、上記送信情報を作成する送信情報作成部と
を有することを特徴とする予告看板。
【請求項８】
請求項１に記載の予告看板において、
上記無線通信媒体が、ＶＩＣＳ又はＥＴＣの規格に従う電波であることを特徴とする予告看板。
【発明の詳細な説明】
【技術分野】
【０００１】
本発明は、道路の例えば規制区域等の上流側に設置され、車両の運転者に規制区域等の存在を効果的に通知できる可搬型の予告看板に関する。
【背景技術】
【０００２】
道路において事故の処理や工事等を行う場合、車両の通行を規制する規制区域を設置している。規制区域は走行車線や追越車線を遮るように設置されるので、規制区域の上流側に規制区域の存在を警告する看板を設置して、車両の運転者に注意を促している。しかしながら、運転者が、携帯電話の操作や居眠り等の不注意に起因して看板を見落とし、車両が規制区域に誤進入する事故が多発している。
【０００３】
このような事故の被害を縮小するため、出願人は、規制区域の作業者に対して車両の誤進入を警告する警告システムを提案している（特許文献１参照）。この警告システムは、規制領域に向かって走行する車両の位置及び速度を測定するセンサと、このセンサからの信号に基づいて規制区域に警告を行う警告装置と、上記センサ及び警告装置に接続された制御装置を備える。制御装置は、センサにより、規制領域を設置した車線と同じ車線の上流に予め設定された検知領域に車両が存在し、かつ、上記車両の速度が検知領域に予め設定された許容速度よりも大きいことを検出すると、警告装置に音や光による警告を行わせる。警告を認識した作業者が規制区域から退避することにより、車両が規制区域に進入しても、作業者が負傷を回避できるようにしている。
【先行技術文献】
【特許文献】
【０００４】
【特許文献１】特許第５６２７０４８号
【発明の概要】
【発明が解決しようとする課題】
【０００５】
しかしながら、上記従来の警告システムは、規制区域への車両の誤進入自体を防止することは困難であるため、車両の誤進入により、作業者が逃げ遅れた場合に負傷する危険性や、規制区域内の設備や作業車両が損傷する問題がある。また、規制区域に誤進入した車両の損傷や、車両の運転者の負傷を防止し難いという問題がある。また、規制区域への車両の誤進入により、規制区域の設備が隣接する車線に飛散し、隣接する車線を走行する車両に損傷を与える問題がある。
【０００６】
そこで、本発明の課題は、道路に規制区域が存在する等の事象の情報を車両の運転者に効果的に通知でき、この車両及び運転者や、道路上の作業者や、他の車両及び運転者に対する危険を未然に防止することができる予告看板を提供することにある。
【課題を解決するための手段】
【０００７】
上記課題を解決するため、本発明の予告看板は、道路の周辺に配置され、道路交通に関する情報を、上記道路を走行する車両の運転者に伝達するための可搬型の予告看板であって、
道路交通に関する情報を視覚的に認識可能に表示する表示パネルと、
道路交通情報を発信するための無線通信媒体を用いて、上記道路交通に関する情報を含む送信情報を送信する情報送信装置と
を備えることを特徴としている。
【０００８】
上記構成の予告看板によれば、道路交通に関する情報が、表示パネルによって視覚的に認識可能に示される。また、情報送信装置により、道路交通情報を発信するための無線通信媒体を用いて、上記道路交通に関する情報を含む送信情報が送信される。この情報送信装置から送信された送信情報が、車両に設けられた情報受信装置で受信され、この送信情報の内容が音声や光によって運転者に伝達されることにより、運転者が表示パネルの視認情報を見落としても、道路交通に関する情報を効果的に運転者に認識させることができる。したがって、運転者は上記情報で示される事象に予め対応できるので、例えば道路の規制区域や事故や渋滞等に対処することにより、この車両及び運転者や、道路上の作業者や、他の車両及び運転者に対する危険を未然に防止することができる。また、予告看板は可搬型であるので、例えば事故が発生した場合や規制区域を設置した場合に、これらの箇所を示すために高い自由度で道路の周辺に配置することができる。したがって、道路のいずれの場所で発生する事象についても、車両の運転者に効果的に情報を伝達することができる。
【０００９】
ここで、上記道路交通に関する情報としては、例えば規制区域の存在、事故の発生、車線の減少、渋滞の発生、出口の閉鎖、通行止め、制限速度の変更、路側施設の案内等を示す情報が該当する。また、道路交通情報を発信するための無線通信媒体としては、例えばＶＩＣＳ（Vehicle Information and Communication System；登録商標）やＥＴＣ（Electronic Toll Collection System；登録商標）等の規格に従った電波が挙げられる。車両には、ＶＩＣＳやＥＴＣ等の道路交通情報の受信を行い、受信した情報を音声で運転者に伝達する道路交通情報装置が広く普及している。このような既存の装置で使用されている無線通信媒体を用いて情報を送信することにより、車両の運転者に容易に注意喚起を行うことができる。
【００１０】
一実施形態の予告看板は、上記送信情報が音声情報である。
【００１１】
上記実施形態によれば、予告看板の情報送信装置から音声情報が送信され、車両に設置された道路交通情報装置で音声情報が受信されて再生されることにより、道路交通に関する情報を運転者に効果的に伝達することができる。
【００１２】
一実施形態の予告看板は、上記情報送信装置が、蓄電池を備える。
【００１３】
上記実施形態によれば、蓄電池に蓄えられた電力により情報送信装置が作動するので、予告看板を供用時に外部電源に接続する必要が無いから、屋外の所望の位置に容易に設置できる。ここで、蓄電池は二次電池であるのが好ましく、蓄電池に充電を行うために、太陽光発電装置を備えてもよく、また、外部電源に接続される充電口を備えてもよい。
【００１４】
一実施形態の予告看板は、上記蓄電池に電力を供給する太陽光発電装置を備える。
【００１５】
上記実施形態によれば、太陽光発電装置を太陽光の照射環境に配置すれば蓄電池が充電されるので、予告看板を設置する前に外部電源等に接続して充電池を充電する必要が無いから、屋外の所望の位置に迅速かつ容易に予告看板を設置できる。
【００１６】
一実施形態の予告看板は、上記送信情報が、上記道路交通に関する情報で示される事象が存在する位置までの距離の情報を含む。
【００１７】
上記実施形態によれば、道路交通に関する情報で示される事象であって、例えば規制区域や事故等の事象が存在する位置までの距離の情報が、送信情報に含まれることにより、車両の運転者に、事象の発生している位置を予め通知できる。
【００１８】
一実施形態の予告看板は、上記送信情報が、上記道路交通に関する情報で示される事象が存在する位置又は方面を示す地名の情報を含む。
【００１９】
上記実施形態によれば、道路交通に関する情報で示される事象であって、例えば規制区域や事故等の事象が存在する位置又は方面を示す地名の情報が、送信情報に含まれることにより、車両の運転者に、事象の発生している場所を予め通知できる。ここで、事象が存在する方面を示す地名とは、予告看板の設置位置から視て事象が存在する方向にある地名をいう。このように、事象が存在する位置や方面を、地名を用いて示すことにより、車両の運転者に事象の発生している場所を正確に認識させることができる。ここで、道路の上り車線と下り車線のいずれか一方の車線を走行する車両に対して情報を提供することを目的とする場合に、他方の車線を走行する車両の情報受信装置に送信情報が受信されても、送信情報には事象の存在する位置又は方面を示す地名が含まれるので、他方の車線の車両の運転者は、自らの走行方向には事象が存在しないことを認識できる。したがって、送信情報が反対車線の車両に受信されても、その車両の運転者が情報を誤って認識することが防止され、誤った情報に基づく混乱の発生を効果的に防止できる。
【００２０】
一実施形態の予告看板は、上記情報送信装置が、
上記道路交通に関する情報で示される事象に関する事象情報と、上記事象が存在する距離に関する距離情報と、上記事象が存在する位置又は方面を示す地名に関する地名情報とが夫々複数個選択可能に記憶された記憶部と、
上記記憶部に記憶された情報のうち、送信情報に含めるべき情報が選択されて入力される入力部と、
上記入力部で選択された事象情報、距離情報及び地名情報に基づいて、上記送信情報を作成する送信情報作成部と
を有する。
【００２１】
上記実施形態によれば、情報送信装置が、記憶部と入力部と送信情報作成部を有する。上記記憶部に、少なくとも事象情報と、距離情報と、地名情報とが夫々複数個選択可能に記憶される。この記憶部に記憶された情報のうち、送信情報に含めるべき情報が、入力部で選択されて入力される。この入力部で選択された事象情報、距離情報及び地名情報に基づいて、送信情報作成部により、情報送信装置によって送信される送信情報が作成される。このように、予め記憶部に選択可能に記憶された事象情報、距離情報及び地名情報等から、入力部を通じて所定の情報を選択することにより送信情報を作成できるので、車両の運転者に通知すべき情報を容易に作製することができる。
【００２２】
一実施形態の予告看板は、上記無線通信媒体が、ＶＩＣＳ又はＥＴＣの規格に従う電波である。
【００２３】
上記実施形態によれば、情報送信装置が、広く普及しているＶＩＣＳ又はＥＴＣで採用される規格に従う電波を利用して送信情報を送信することにより、多くの車両が送信情報を受信し、運転者に道路交通に関する情報を通知することができる。なお、ＥＴＣにはＥＴＣ２．０が含まれ、情報送信装置は、ＥＴＣ２．０の規格に従う電波を利用してもよい。
【図面の簡単な説明】
【００２４】
【図１】本発明の実施形態の予告看板を示す正面図である。
【図２】予告看板の情報送信装置を示すブロック図である。
【図３】車両に設置された情報受信装置を示すブロック図である。
【図４】予告看板の情報送信装置の設定時に入力部に示される画面を示す模式図である。
【図５Ａ】予告看板の情報送信装置から送信される電波の到達範囲を模式的に示す平面図である。
【図５Ｂ】予告看板の情報送信装置から送信される電波の到達範囲を模式的に示す断面図である。
【発明を実施するための形態】
【００２５】
以下、本発明を図示の実施の形態により詳細に説明する。
【００２６】
図１は、本発明の実施形態の予告看板を示す正面図である。本実施形態の予告看板は、立て看板形式の予告看板であり、路面上に直接設置される。この予告看板１は、道路の側部に設置され、道路を走行する車両の運転者に、道路交通に関する情報を、視覚と聴覚を通して認識させるものである。この予告看板１は、道路交通に関する情報を視覚的に認識可能に表示する表示パネル２と、道路交通に関する情報を含む送信情報を車両に送信する情報送信装置３と、この情報送信装置３に充電用の電力を供給する太陽光発電装置としての太陽光発電パネル４を備える。
【００２７】
表示パネル２は、文字や記号が表面に表示される矩形のパネルであり、光反射シートで覆われた板状体の表面に、塗料やカッティングシート等で形成された文字や記号が配置されたものを用いることができる。表示パネル２は、表面を照明する照明装置を有してもよく、ＬＥＤ（light emitting diode）等で自発光する板状体を用いてもよい。また、表示パネル２として、行列状に配列された複数のＬＥＤ素子を駆動して文字や記号を表示するＬＥＤ表示パネルを用いてもよい。いずれにしても、表示パネル２は、道路交通に関する情報を書き換え可能に表示できればよく、情報を視覚的に認識可能に表示する構成は、特に限定されない。
【００２８】
図１の表示パネル２には、この表示パネル２の設置位置から１００ｍ先に、工事中の箇所が存在することを示す文字が表示されている。この表示パネル２の文字は、道路を走行する車両の運転者に視認可能な大きさに表示されている。
【００２９】
上記表示パネル２の上部に設置された情報送信装置３は、この表示パネル２に表示された情報と実質的に同じ内容の文字情報を、道路交通情報を発信するための無線通信媒体により送信する。
【００３０】
この情報送信装置３は、図２のブロック図に示されるように、送信する文字情報を形成するための複数の情報が選択可能に格納された記憶部６と、文字情報を作成する際の入力や、情報送信装置３の動作を指令する入力等を操作者から受ける入力部７と、文字情報の内容や、情報送信装置３の動作状況を出力する出力部８を有する。また、情報送信装置３は、送信する文字情報を送信信号に変換して出力する通信部９と、通信部９で生成された送信信号の電波を出力するアンテナ１０を有する。この情報送信装置３は、各部の動作を制御する制御部１２と、各部に電力を供給する蓄電池１３を有する。蓄電池１３は二次電池であり、日照時に太陽光発電パネル４から電力が供給されて充電を行うように形成されている。また、蓄電池１３は、図示しない充電口を通じて、商用電源等の外部電源から充電用の電力が供給可能に形成されている。この情報送信装置３は、ＣＰＵ、ＲＯＭ、ＲＡＭ、ＥＥＰＲＯＭ等の不揮発性メモリ及びＩ／Ｏ等で形成されたマイコンによって構成されている。
【００３１】
情報送信装置３の通信部９は、文字情報をＶＩＣＳ規格に従ったデータ形式に変換し、無線通信媒体としての２．４ＧＨｚ帯の電波をアンテナ１０から出力する。なお、通信部９及びアンテナ１０は、無線通信媒体として、ＥＴＣ又はＥＴＣ２．０規格に従う５．８ＧＨｚ帯の電波により情報を送信してもよい。
【００３２】
予告看板１の情報送信装置３から出力された電波は、この予告看板１が設置された道路を走行する車両の情報受信装置１５に受信され、受信された情報が運転者に伝達される。図３は、車両に設置された情報受信装置１５を示すブロック図である。この情報受信装置１５は、情報送信装置３から送信された電波を受信するアンテナ１６と、アンテナ１６で受信した電波の信号を復号化し、文字情報を生成する通信部１７を有する。また、この情報受信装置１５は、受信した文字情報を格納する記憶部１８と、情報受信装置１５の動作を指令する入力を受ける入力部１９と、受信した文字情報や音声情報や情報受信装置１５の動作状況等を出力する出力部２０と、各部の動作を制御する制御部２１を有する。この情報受信装置１５は、ＣＰＵ、ＲＯＭ、ＲＡＭ、ＥＥＰＲＯＭ等の不揮発性メモリ及びＩ／Ｏ等で形成され、道路交通情報装置としてのカーナビゲーションシステムにより構成されている。
【００３３】
本実施形態の予告看板１が道路の側部に設置されることにより、この予告看板１の情報送信装置３と、道路を走行する車両の情報受信装置１５とで、交通に関する情報の予告通知システムが形成される。
【００３４】
予告看板１には、情報送信装置３の入力部７を通じて、表示パネル２の表示内容と実質的に同一の内容であって、運転者に通知すべき道路交通に関する情報が入力される。図４は、情報を入力する際に、入力部７として機能するディスプレイに表示される画面を示す模式図である。ディスプレイの初期画面には、情報送信装置３のモードを選択するモード選択ボタンが表示されており、このモード選択ボタンを操作して送信情報入力モードに移ると、ディスプレイに、図４の情報作成画面２５が示される。送信情報入力モードでは、道路交通に関する情報として、道路交通に関する事象が、いずれの方面に向かってどの程度の距離の位置で発生しているのかを示す文字情報を作成する。
【００３５】
このような文字情報を作成するため、情報作成画面２５には、地名選択枠２６と、距離選択枠２７と、事象選択枠２８が表示され、各々の枠から文字情報を構成する要素を選択することが求められる。具体的には、情報作成画面２５において、地名選択枠２６のボタン２６ａを押下すると、複数の地名が列挙されたプルダウンリスト２６ｂが現れ、このプルダウンリスト２６ｂの中から、事象が存在する方面を示す地名を選択する。また、距離選択枠２７のボタン２７ａを押下すると、複数の距離を示す数字が列挙されたプルダウンリスト２７ｂが現れ、このプルダウンリスト２７ｂの中から、予告看板１の設置位置から事象の位置までの距離と一致する数字を選択する。また、事象選択枠２８のボタン２８ａを押下すると、複数の事象を示す単語が列挙されたプルダウンリスト２８ｂが現れ、このプルダウンリスト２８ｂの中から、現実の事象と一致する単語を選択する。事象を示す単語としては、「道路規制」や、「工事」や、「事故」や、「車線減少」や、「渋滞」や、「出口閉鎖」等が挙げられる。これらの地名選択枠２６と、距離選択枠２７と、事象選択枠２８で指定された事項に基づいて、選択された地名の方面に、選択された距離だけ離れた地点に、選択された事象が存在する旨を示す文字情報が、制御部１２によって作成される。図４に示すように各選択枠で選択を行った場合、例えば「本町方面の約１００ｍ先に、工事中の箇所があります」との文字情報を作成することができる。このとき、制御部１２が本発明の送信情報作成部として動作する。
【００３６】
表示パネル２の情報の表示と、情報送信装置３から送信する文字情報の設定が完了すると、この予告看板１が道路の側部に設置される。続いて、予告看板１の情報送信装置３の入力部７を通して情報送信モードに移されると、通信部９が起動され、アンテナ１０からの電波の送信が開始される。図５Ａは、道路の側部に設置された予告看板１から送信された電波の到達範囲を模式的に示す平面図であり、図５Ｂは断面図である。
【００３７】
図５Ａ及び５Ｂに示すように、予告看板１のアンテナ１０を頂点とする円錐形状の電波の受信エリア３０が、道路３１の延在方向と直角に形成されると仮定し、道路３１の走行車線３２の幅と追越車線３３の幅の合計の長さＬ１が７．０ｍであり、道路３１の側縁から予告看板１の設置位置までの距離Ｌ２が０．５ｍであるとする。また、車両３５の情報受信装置１５のアンテナ１６の設置高さＨ２が、普通車で想定し得る最も低い位置の０．５ｍから、大型車で想定し得る最も高い位置の３．７ｍまでの間であるとする。また、円錐形状の電波の受信エリア３０は、頂部の投影角度θが、ＶＩＣＳの２．４ＧＨｚ帯の場合は１６０°であるとする。これらの条件の場合、予告看板１は、アンテナ１０の高さＨ１が１．０ｍから３．８ｍの範囲にあれば、走行車線３２と追越車線３３のいずれを走行する車両３５のアンテナ１６に、電波を受信可能に送信することができる。なお、予告看板１は、表示パネル２に表示した情報を車両３５の運転者が視認し易いように、表示パネル２を走行車線３２と追越車線３３の上流側に向けて配置するのが好ましい。
【００３８】
このように道路３１の側部に設置され、情報送信装置３の情報送信モードが起動された予告看板１は、文字情報を含む電波をアンテナ１０から送信する。道路３１の走行車線３２又は追越車線３３を走行する車両３５は、予告看板１から送信された電波を情報受信装置１５のアンテナ１６で受信し、通信部１７で電波の信号を復号化して文字情報を生成する。生成された文字情報が、制御部２１で実行される読み上げプログラムによって音声情報に変換され、出力部２０としてのスピーカから音声情報が出力される。このようにして、予告看板１の表示パネル２に表示された情報と実質的に同一の内容の音声情報を、車両３５に送信して運転者に伝達する。したがって、運転者が、不注意により予告看板１の表示パネル２の情報を見落としても、道路交通に関する情報を効果的に運転者に認識させることができる。情報を認識した運転者は、例えば車両３５の速度を落とす対処や、走行する車線を変更する等の対処を行って、予告看板１で通知された事象に前もって対応することができる。これにより、例えば規制区域に突入する不都合や、渋滞により低速度で走行する車両や停止している車両に追突する不都合等を、効果的に防止できる。その結果、車両３５及び運転者や、規制区域の作業者や、他の車両及び運転者に対する危険を効果的に防止できる。
【００３９】
また、本実施形態の予告看板１は可搬型であるので、道路３１で例えば事故が発生した場合や、道路３１に規制区域を設置した場合に、これらの箇所の周辺に高い自由度で予告看板１を設置することができる。したがって、道路３１で一時的に発生する事象に柔軟に対応して、車両３５の運転者に効果的に情報を通知することができる。
【００４０】
また、本実施形態の予告看板１は、情報送信装置３が、車両に広く普及しているカーナビゲーションシステムが受信可能な電波であって、ＶＩＣＳの規格に沿った電波により文字情報を送信するので、多くの車両３５の情報受信装置１５により文字情報を受信できる。さらに、カーナビゲーションシステムに一般的に設けられている文字情報の読み上げ機能を利用することにより、車両３５の運転者に、走行方向に存在する事象に関する情報を音声で認識させることができ、多くの運転者に事象に対する注意喚起を行うことができる。なお、予告看板１の情報送信装置３が、情報をＥＴＣ又はＥＴＣ２．０の規格の電波で送信する場合、車両３５に搭載された情報受信装置１５としてのＥＴＣ又はＥＴＣ２．０車載器により情報を受信する。ＥＴＣ又はＥＴＣ２．０車載器で受信された情報は、ＥＴＣ又はＥＴＣ２．０車載器が有する情報読み上げ機能を利用して、音声出力をしてもよい。また、ＥＴＣ又はＥＴＣ２．０車載器に接続された他の機器により、音声出力をしてもよい。
【００４１】
また、本実施形態の予告看板１は、情報送信装置３により、所定の地名の方面に、所定の距離だけ離れた地点に、所定の事象が存在する旨の文字情報を送信するので、この文字情報の内容が伝達された運転者に、事象が存在する位置を正確に認識させることができる。特に、事象の存在する方面の地名を伝達することにより、上記事象に向かう方向に走行する車両３５の運転者に、その先に事象が存在することを認識させることができる一方、上記事象から遠ざかる方向に走行する車両の運転者には、その先には事象が存在しないことを認識させることができる。したがって、予告看板１を設置した側と反対方向の車線を走行する車両が情報を受信しても、その車両の運転者に情報が無用であることを容易に認識させることができ、情報の誤認識による混乱を効果的に防止できる。
【００４２】
上記実施形態において、予告看板１の情報送信装置３に、道路交通に関する事象が存在する方面を示す地名を入力したが、上記事象が存在する位置の地名を入力してもよい。
【００４３】
また、上記実施形態において、予告看板１の情報送信装置３は文字情報を送信したが、音声情報を送信してもよい。すなわち、情報送信装置３は、情報作成画面２５への入力に基づいて文字情報を作成したが、情報作成画面２５への入力に基づいて音声情報を作成し、この音声情報を、通信部９がアンテナ１０を通じて送信してもよい。情報送信装置３から音声情報を受信した情報受信装置１５では、制御部２１で実行される音声再生プログラムによって音声情報が再生され、出力部２０から音声情報が出力される。
【００４４】
また、上記実施形態において、予告看板１を道路３１の側部の路面上に配置したが、本発明の予告看板は、道路の側部に設けられた壁状体に取り付けてもよい。例えば、壁状体としての壁高欄に筒状のアタッチメントを固定し、このアタッチメントに、表示パネルに固定された支柱を装着して、予告看板を設置してもよい。この場合、予告看板は、表示パネルと、表示パネルの裏面又は側縁に鉛直方向に延在して固定された支柱と、表示パネル又は支柱に固定された情報送信装置を備えた支柱形式のものを用いる。このように、壁高欄等の壁状体に着脱可能な予告看板を用いることにより、都市高速道路や橋梁部において、道路交通に関する情報を、視覚と聴覚を通じて効果的に車両の運転者に伝達することができる。
【００４５】
また、上記実施形態において、予告看板１を道路３１の側部に配置したが、予告看板１は、アンテナ１０からの電波が車両に到達する位置であれば、道路３１の周辺の所望の位置に配置することができる。例えば、道路を横断するように架け渡された架道橋や、道路の上方に標識を掲示するために設置された片持式又は門型式の支柱等を利用して、道路の上部に予告看板１を設置してもよい。
【符号の説明】
【００４６】
１  予告看板
２  表示パネル
３  情報送信装置
４  太陽光発電パネル
６  情報送信装置の記憶部
７  情報送信装置の入力部
８  情報送信装置の出力部
９  情報送信装置の通信部
１０  情報送信装置のアンテナ
１２  情報送信装置の制御部
１３  情報送信装置の蓄電池
１５  情報受信装置
１６  情報受信装置のアンテナ
１７  情報受信装置の通信部
１８  情報受信装置の記憶部
１９  情報受信装置の入力部
２０  情報受信装置の出力部
２１  情報受信装置の制御部
【図１】
2019160020.tif 000003
【図２】
2019160020.tif 000004
【図３】
2019160020.tif 000005
【図４】
2019160020.tif 000006
【図５Ａ】
2019160020.tif 000007
【図５Ｂ】
2019160020.tif 000008
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
道路の周辺に配置され、道路交通に関する情報を、上記道路を走行する車両の運転者に伝達するための可搬型の予告看板であって、
道路交通に関する情報を視覚的に認識可能に表示する表示パネルと、
道路交通情報を発信するための無線通信媒体を用いて、上記道路交通に関する情報を含む送信情報を送信する情報送信装置と
を備え、
上記情報送信装置が、
上記道路交通に関する情報で示される事象に関する事象情報と、上記事象が存在する距離に関する距離情報と、上記事象が存在する位置又は方面を示す地名に関する地名情報とが夫々複数個選択可能に記憶された記憶部と、
上記記憶部に記憶された情報のうち、送信情報に含めるべき情報が選択されて入力される入力部と、
上記入力部で選択された事象情報、距離情報及び地名情報に基づいて、上記送信情報を作成する送信情報作成部と
を有することを特徴とする予告看板。
【請求項２】
請求項１に記載の予告看板において、
上記送信情報が音声情報であることを特徴とする予告看板。
【請求項３】
請求項１に記載の予告看板において、
上記情報送信装置が、蓄電池を備えることを特徴とする予告看板。
【請求項４】
請求項３に記載の予告看板において、
上記蓄電池に電力を供給する太陽光発電装置を備えることを特徴とする予告看板。
【請求項５】
請求項１に記載の予告看板において、
上記送信情報が、上記道路交通に関する情報で示される事象が存在する位置までの距離の情報を含むことを特徴とする予告看板。
【請求項６】
請求項１に記載の予告看板において、
上記送信情報が、上記道路交通に関する情報で示される事象が存在する位置又は方面を示す地名の情報を含むことを特徴とする予告看板。
【請求項７】
請求項１に記載の予告看板において、
上記無線通信媒体が、ＶＩＣＳ又はＥＴＣの規格に従う電波であることを特徴とする予告看板。